(57)【要約】【課題】  複数の色再現デバイスの色再現域を共通にしつつ、適切に定義する。【解決手段】  共通色域定義部５４は、表示部２２及び印刷装置４−１〜４−３（各色再現デバイス）のデバイスプロファイル並びに画像データを取得し、設定条件取得部５０から入力された任意の設定条件に応じて、各色再現デバイスに対して共通な１つの色域（共通色域）を定義し、プロファイル変更部５６に対して出力する。プロファイル変更部５６は、入力部２０から入力される圧縮条件、及び、共通色域定義部５４から入力される共通色域に応じて、プログラムデータベース５０４から圧縮プログラムを受け入れる。また、プロファイル変更部５６は、各色再現デバイスのデバイスプロファイルを受け入れ、共通色域定義部５４から入力される共通色域に応じて、各色再現デバイスそれぞれの色再現域を圧縮（変更）する。【選択図】          図４
2006157219.tif 000002
【特許請求の範囲】
【請求項１】
画像の色を再現する複数の色再現デバイスに共通な色域を定義し、定義された色域、及び、前記複数の色再現デバイスそれぞれが再現可能な色域に基づいて、前記複数の色再現デバイスそれぞれの色再現域を定義することを特徴とする画像処理方法。
【請求項２】
画像の色を再現する複数の色再現デバイスに共通な色域を定義する共通色域定義手段と、この共通色域定義手段が定義した色域、及び、前記複数の色再現デバイスそれぞれが再現可能な色域に基づいて、前記複数の色再現デバイスそれぞれの色再現域を定義する色再現域定義手段とを有することを特徴とする画像処理システム。
【請求項３】
前記共通色域定義手段によって定義される色域が任意の条件を満たすように条件を設定する条件設定手段をさらに有することを特徴とする請求項２記載の画像処理システム。
【請求項４】
前記条件設定手段は、前記複数の色再現デバイスいずれかが再現可能な色域が前記複数の色再現デバイスに共通な色域として定義されるように条件を設定することを特徴とする請求項３記載の画像処理システム。
【請求項５】
画像データを取得する画像データ取得手段をさらに有し、前記共通色域定義手段は、前記画像データ取得手段が取得した画像データの色情報に基づいて、前記複数の色再現デバイスに共通な色域を定義することを特徴とする請求項２乃至４いずれか記載の画像処理システム。
【発明の詳細な説明】
【技術分野】
【０００１】
本発明は、画像の色を処理する画像処理方法及び画像処理システムに関するものである。
【背景技術】
【０００２】
複数の画像出力デバイスによって再現される色を管理する色管理システムとして、各画像出力デバイスのプロファイルを用いるものが知られている。この種の色管理システムにおいて、画像出力デバイスそれぞれの色再現領域を全画像出力デバイスの色再現領域の論理積の範囲に限定することにより、画像出力デバイスそれぞれに同様の色合いの画像を出力させることは公知である（特許文献１参照）。
【０００３】
【特許文献１】特開２００１−１５７０６９号公報
【発明の開示】
【発明が解決しようとする課題】
【０００４】
しかしながら、上記従来例においては、画像の色域に対し、出力される画像の色域が狭すぎたり、適切な色域にならないという問題があった。
【０００５】
そこで、本発明は、複数の色再現デバイスの色再現域を共通にしつつ、適切に定義することができる画像処理方法及び画像処理システムを提供することを目的とする。
【課題を解決するための手段】
【０００６】
上記目的を達成するため、本発明の第１の特徴とするところは、画像の色を再現する複数の色再現デバイスに共通な色域を定義し、定義された色域、及び、前記複数の色再現デバイスそれぞれが再現可能な色域に基づいて、前記複数の色再現デバイスそれぞれの色再現域を定義する画像処理方法にある。したがって、複数の色再現デバイスの色再現域を共通にしつつ、適切に定義することができる。
【０００７】
また、本発明の第２の特徴とするところは、画像の色を再現する複数の色再現デバイスに共通な色域を定義する共通色域定義手段と、この共通色域定義手段が定義した色域、及び、前記複数の色再現デバイスそれぞれが再現可能な色域に基づいて、前記複数の色再現デバイスそれぞれの色再現域を定義する色再現域定義手段とを有する画像処理システムにある。したがって、色再現域定義手段は、共通色域定義手段が定義した色域に基づいて複数の色再現デバイスの色再現域を共通にすることができると共に、複数の色再現デバイスそれぞれの色再現域を適切に定義することができる。
【０００８】
好適には、前記共通色域定義手段によって定義される色域が任意の条件を満たすように条件を設定する条件設定手段をさらに有する。したがって、色再現域定義手段は、条件設定手段が設定した任意の色域に基づいて複数の色再現デバイスの色再現域を共通にすることができると共に、複数の色再現デバイスそれぞれの色再現域を適切に定義することができる。
【０００９】
また、好適には、前記条件設定手段は、前記複数の色再現デバイスいずれかが再現可能な色域が前記複数の色再現デバイスに共通な色域として定義されるように条件を設定する。即ち、複数の色再現デバイスいずれかが再現可能な色域を複数の色再現デバイスに共通な色域とすることができ、複数の色再現デバイスいずれかを基準にして複数の色再現デバイスそれぞれの色再現域を適切に定義することができる。
【００１０】
また、好適には、画像データを取得する画像データ取得手段をさらに有し、前記共通色域定義手段は、前記画像データ取得手段が取得した画像データの色情報に基づいて、前記複数の色再現デバイスに共通な色域を定義する。したがって、画像データ取得手段が取得した画像データの色情報に基づいて、複数の色再現デバイスの色再現域を共通にしつつ、適切に定義することができる。
【発明の効果】
【００１１】
本発明によれば、複数の色再現デバイスの色再現域を共通にしつつ、適切に定義することができる。
【発明を実施するための最良の形態】
【００１２】
次に本発明の実施形態を図面に基づいて説明する。
図１において、本発明の実施形態に係る画像処理システム１の概要が示されている。画像処理システム１は、例えば編集装置２がネットワーク３を介して印刷装置４−１〜４−ｎなどの複数の画像出力装置に接続されることによって構成される。印刷装置４−１〜４−ｎは、それぞれ異なる出力特性を有し、編集装置２の制御によって、用紙などの記録媒体にカラー画像を印刷する。なお、画像処理システム１には、画像を表示する画像表示装置が画像出力装置の１つとして設けられてもよい。
以下、画像処理システム１において、印刷装置４−１〜４−ｎは、台数を３台（ｎ＝３）とした場合を具体例として説明する。
【００１３】
図２において、編集装置２の構成が示されている。
編集装置２は、例えばＰＣ（Personal Computer）などであり、入力部２０、表示部２２、記憶部２４、通信部２６及び編集装置本体２８から構成され、印刷装置４−１〜４−３を制御する。入力部２０は、キーボード及びマウスなどの入力装置を有し、画像処理システム１に対するユーザの指示を受入れる。表示部２２は、ＣＲＴ表示装置又はＬＣＤ表示装置であり、編集装置２における処理結果、及び印刷装置４−１〜４−３などから受入れた信号に対する表示を行なう。つまり、画像処理システム１において、表示部２２は、画像出力装置の１つである。
【００１４】
記憶部２４は、画像処理システム１を構成する各部を制御するプログラム、複数のデータベース（図３を用いて後述）、画像処理システム１に対する設定及び編集装置２によって作成されたデータなどを記憶する。通信部２６は、ネットワーク３を介して印刷装置４−１〜４−３と編集装置本体２８とを接続する。編集装置本体２８は、ＣＰＵ２８０及びメモリ２８２を有し、編集装置２を構成する各部を制御する。
【００１５】
次に、記憶部２４について詳述する。
図３は、記憶部２４が記憶する内容の概要を示すメモリマップである。
図３に示すように、記憶部２４は、例えばプログラムデータベース領域２４２、プロファイルデータベース領域２４４、画像データベース領域２４６及びその他の記憶領域２４８に分けられている。
プログラムデータベース領域２４２は、編集装置２が印刷装置４−１〜４−３などを制御するために必要なプログラム及び複数の色域圧縮プログラムなどを記憶し、プログラムデータベース５０４（図４参照）を形成する。
【００１６】
プロファイルデータベース領域２４４（図３）は、表示部２２及び印刷装置４−１〜４−３それぞれのデバイスプロファイルを記憶し、プロファイルデータベース５０２（図４参照）を形成する。
以下、表示部２２及び印刷装置４−１〜４−３それぞれのデバイスプロファイルを、単にプロファイルと略記することがある。
【００１７】
画像データベース領域２４６（図３）は、例えばメモリカードなどの記憶媒体２４０を介して入力される画像データ（画像ファイル）及び通信部２６などから入力される画像データなどを記憶し、画像データベース５００（図４参照）を形成する。その他の記憶領域２４８は、画像処理システム１に対する設定及び編集装置２によって生成されたデータなどを記憶する。
【００１８】
図４において、色再現域定義プログラム５の構成が示されている。
色再現域定義プログラム５は、設定条件取得部５０、画像データ取得部５２、共通色域定義部５４、プロファイル変更部５６、画像データベース５００、プロファイルデータベース５０２及びプログラムデータベース５０４から構成され、図１に示した編集装置２により実行される。
【００１９】
設定条件取得部５０は、ユーザが入力部２０を介して任意に設定した設定条件を取得し、共通色域定義部５４に対して出力する。画像データ取得部５２は、画像データベース５００から画像データを取得し、共通色域定義部５４に対して出力する。共通色域定義部５４は、プロファイルデータベース５０２から表示部２２及び印刷装置４−１〜４−３（各色再現デバイス）のデバイスプロファイルを取得し、画像データ取得部５２から画像データを取得して、設定条件取得部５０から入力された任意の設定条件に応じて、各色再現デバイスに対して共通な１つの色域（共通色域）を定義し、プロファイル変更部５６に対して出力する。つまり、共通色域は、各色再現デバイスのデバイスプロファイル、画像データ、及び、ユーザが入力した設定条件により、任意に設定できるようにされている。
【００２０】
プロファイル変更部５６は、入力部２０から入力される圧縮条件、及び、共通色域定義部５４から入力される共通色域に応じて、プログラムデータベース５０４から各色再現デバイスそれぞれに対する圧縮プログラムを受け入れる。また、プロファイル変更部５６は、プロファイルデータベース５０２から各色再現デバイスのデバイスプロファイルを受け入れ、共通色域定義部５４から入力される共通色域に応じて、受入れた圧縮プログラムそれぞれにより、各色再現デバイスそれぞれの色再現域を圧縮（変更）し、各色再現デバイスそれぞれの変更済みプロファイルをその他の記憶領域２４８に対して出力する。つまり、プロファイル変更部５６は、各色再現デバイスの色再現域が上述した共通色域になるように各色再現デバイスそれぞれのデバイスプロファイルを変更することにより、各色再現デバイスそれぞれのデバイスプロファイルを新たに定義する。
なお、変更済みデバイスプロファイルがその他の記憶領域２４８に記憶されている場合には、編集装置２は、各色再現デバイスそれぞれが変更済みデバイスプロファイルを用いて画像を出力するように制御する。
【００２１】
次に、編集装置２が表示部２２及び印刷装置４−１〜４−３（各色再現デバイス）のデバイスプロファイルを新たに定義する処理について説明する。
図５は、編集装置２が各色再現デバイスのデバイスプロファイルを新たに定義する処理（Ｓ１０）を示すフローチャートである。
図６は、表示部２２及び印刷装置４−１〜４−３の色再現域並びに画像の色域を示すｘｙ色度図である。各色再現デバイスによって出力される画像は、画像データに例えば画像色域ｒが含まれ、各色再現デバイスが階調を維持して出力するように着目された重要色域ｓがユーザによって指定されている。
図５に示すように、ステップ１００（Ｓ１００）において、設定条件取得部５０は、ユーザが入力部２０を介して設定した任意の設定条件を取得し、共通色域定義部５４に対して出力する。例えば、印刷装置４−１が最終的な画像を出力する画像出力装置（ターゲット）である場合、ユーザは、印刷装置４−１による色再現域を重視し、印刷装置４−１の色再現域が共通色域として定義されるように、入力部２０を介して設定する。
【００２２】
ステップ１０２（Ｓ１０２）において、画像データ取得部５２は、画像データベース５００から画像データを取得し、共通色域定義部５４に対して出力する。
【００２３】
ステップ１０４（Ｓ１０４）において、共通色域定義部５４は、プロファイルデータベース５０２から表示部２２及び印刷装置４−１〜４−３（各色再現デバイス）のデバイスプロファイルを取得する。
【００２４】
ステップ１０６（Ｓ１０６）において、共通色域定義部５４は、取得したデバイスプロファイル、画像データ及び設定条件取得部５０から入力された任意の設定条件に応じて、各色再現デバイスに対する共通な１つの色域（共通色域）を定義し、プロファイル変更部５６に対して出力する。例えばＳ１００の処理において印刷装置４−１の色再現域が共通色域として定義されるように設定されている場合、共通色域定義部５４は、印刷装置４−１の色再現域を共通色域として定義し、プロファイル変更部５６に対して出力する。
【００２５】
ステップ１０８（Ｓ１０８）において、プロファイル変更部５６は、入力部２０から入力される圧縮条件、及び、共通色域定義部５４から入力される共通色域に応じて、プログラムデータベース５０４から各色再現デバイスそれぞれに対する圧縮プログラムを受け入れ、プロファイルデータベース５０２から受入れた各色再現デバイスのデバイスプロファイルを変更し、その他の記憶領域２４８に対して出力する。つまり、各色再現デバイスそれぞれの色再現域が定義される。例えば、重要色域ｓの階調を維持するように圧縮条件が入力部２０から入力されると、プロファイル変更部５６は、各色再現デバイスそれぞれに対して、重要色域ｓの階調を維持し、且つ、印刷装置４−１の色再現域（共通色域）外の色を共通色域内に圧縮する圧縮プログラムをプログラムデータベース５０４から取得し、各色再現デバイスのデバイスプロファイルを圧縮（変更）する。
【００２６】
ステップ１１０（Ｓ１１０）において、その他の記憶領域２４８は、プロファイル変更部５６から受入れた各色再現デバイスの変更済みプロファイル（変更済みデバイスプロファイル）を記憶する。
すなわち、編集装置２は、重要色域ｓの階調を維持し、各色再現デバイスそれぞれの色再現域を印刷装置４−１の色再現域（共通色域）内に圧縮するように各色再現デバイスそれぞれのデバイスプロファイルを変更する。また、重要色域ｓでない画像色域ｒの一部（Ｒ側の色の一部）は、印刷装置４−２では再現されず、最終的な画像を出力する印刷装置４−１などによって再現可能になっている。つまり、画像処理システム１は、各色再現デバイスに共通な任意の共通色域を定義することができ、例えば画像の重要色域及び画像の最終的な出力装置などに応じて、適切な画像を出力することができる。
【００２７】
図７に、印刷装置４−１を最終印刷の色域（共通色域）とし、出力画像の重要色域ｓが印刷装置４−２では再現できない場合の例を示す。このとき、再現できない色を印刷装置４−２の色域外郭に向かって単純にクリップしてしまうと、印刷装置４−２で出力した出力物では、重要色域ｓの階調がつぶれてしまう。よって、このような場合には、共通色域から印刷装置４−２の色域に向かって画像の重要色域ｓの階調がつぶれないような圧縮を行うことで、プロファイルを修正すればよい。他に複数のデバイスがある場合も同様の処理を行えばよい。
【図面の簡単な説明】
【００２８】
【図１】本発明の実施形態に係る画像処理システムの概要を示す構成図である。
【図２】編集装置の構成を示す構成図である。
【図３】記憶部が記憶する内容の概要を示すメモリマップである。
【図４】色再現域定義プログラムの構成を示すプログラム構成図である。
【図５】編集装置が各色再現デバイスのデバイスプロファイルを新たに定義する処理（Ｓ１０）を示すフローチャートである。
【図６】表示部及び印刷装置の色再現域並びに画像の色域を示すｘｙ色度図である。
【図７】画像の重要色域を再現できない印刷装置の色再現域及び画像の色域を示すｘｙ色度図である。
【符号の説明】
【００２９】
１・・・画像処理システム
２・・・編集装置
２０・・・入力部
２２・・・表示部
２４・・・記憶部
２４０・・・記憶媒体
２４２・・・プログラムデータベース領域
２４４・・・プロファイルデータベース領域
２４６・・・画像データベース領域
２４８・・・その他の記憶領域
２６・・・通信部
２８・・・編集装置本体
２８０・・・ＣＰＵ
３・・・ネットワーク
４−１〜４−ｎ・・・印刷装置
５・・・色再現域定義プログラム
５０・・・カラーパレット生成部
５２・・・画像データ取得部
５４・・・共通色域定義部
５６・・・プロファイル変更部
５００・・・画像データベース
５０２・・・プロファイルデータベース
５０４・・・プログラムデータベース
【図１】
2006157219.tif 000003
【図２】
2006157219.tif 000004
【図３】
2006157219.tif 000005
【図４】
2006157219.tif 000006
【図５】
2006157219.tif 000007
【図６】
2006157219.tif 000008
【図７】
2006157219.tif 000009